(57)【要約】      （修正有）【課題】肘の変形や痛みのため肘を十分に曲げられず歯ブラシが十分に行えない方、または、歯ブラシをする際に肘に痛みを感じる方が使用しても、歯みがきの清掃機能を向上しうる柄部が長い歯ブラシを提供する。【解決手段】柄部分の長さを１５〜３５ｃｍとする。温度により変形可能な熱可塑性樹脂で柄のＢ点からＣ点部分を延長加工したり、はめ込み鞘を用いて使用者ごとにカスタマイズすることにより、一般に売られている歯ブラシの柄の長さを簡便に任意の長さに伸ばすような構造とする。【選択図】図５
0003184367.tif 000002
【実用新案登録請求の範囲】
【請求項１】
柄部分が長い歯ブラシ
【請求項２】
柄部分が彎曲している請求項１記載の歯ブラシ
【請求項３】
柄部分の長さが１５〜３５ｃｍである請求項１記載の歯ブラシ
【請求項４】
柄部分が、柄本体と柄本体とは別体の延長部とが接続されている請求項１記載の歯ブラシ
【請求項５】
別体の延長部が熱可塑性樹脂により作られている請求項４記載の歯ブラシ
【請求項６】
別体の延長部が空洞の鞘からなり、柄本体が別体の鞘に挿入されて固定されてなる請求項４記載の歯ブラシ
【請求項７】
別体の延長部の末端が彎曲している請求項４記載の歯ブラシ
【考案の詳細な説明】
【産業上の利用分野】
【０００１】  本案は、血友病性肘関節症などで肘の変形や痛みのため肘を十分に曲げられず歯ブラシが十分に行えない方、または、歯ブラシをする際に肘に痛みを感じる方に適した歯ブラシである。
【産業上の利用可能性】
【０００２】  本案の柄の部分が長い歯ブラシを用いることにより、肘を無理に曲げずに歯を十分にみがくことが可能なため、血友病性肘関節症の患者のみではなく、他の疾患により肘の関節の曲がりにくい方や手術後に肘を曲げられない方など、長期療養中および一過性の障害を持つ方にも本案の歯ブラシは包括的に利用可能であり、こうした方々の口腔内衛生の維持向上とさらには全身的な健康状態の維持向上に貢献できる。
【背景技術】
【０００３】  通常の歯ブラシが握れない方のために指を引っかけたり柄を太くしたりするなどの歯ブラシや歯ブラシ補助具は数多くあったが、柄の長い歯ブラシは存在しなかった。これまで市販されている歯ブラシは、首部分を除いた柄部分の長さは１３ｃｍ前後である。電動歯ブラシでもせいぜい柄の長さは１７ｃｍ前後である。
この長さは健常者の使い勝手を考慮して決めたものである。
一般に、健常者にとって１３ｃｍを越える長さの柄部分を持つ歯ブラシは、操作性が悪いだけではなく、歯肉に無用な強い力を与えて歯肉を傷めるおそれがあると思われてきた。また、携帯性も悪いため使用が限られると思われてきた。
しかしながら、腕に障害のある者には、とりわけ肘の関節に障害があり、肘が十分に曲がらないという障害を持つものにとって、従来の歯ブラシは柄の部分が短く、歯ブラシが口まで届きにくく十分に歯をみがくことが出来なかった。無理をして歯をみがいたために肘を痛めてしまい、その後数日の歯みがきを行うことが困難になってしまったり、肘に負担をかけないよう首を不自然に前に突き出して歯をみがいたりと、歯ブラシの柄に十分な長さがないため、肘に更なる負担や、体の他の部分に負担をかけて行うことが少なくない。
また、健常者であっても、肘の怪我や、ギブスの装着などの際には従来の歯ブラシは使用が困難であった。しかし、長期療養中および一過性の障害に特化した歯ブラシは存在しなかった。
【考案の概要】
【考案が解決しようとする課題】
【０００４】  本案は、肘に障害を持つものが使用して歯みがきの清掃機能を向上しうる歯ブラシで、柄部が長い歯ブラシを提案するものである。本案に於いて「柄が長い」とは、「柄の長さが１５〜３５ｃｍの長さ」であることを意味する。好ましい柄部の長さは２０〜３５ｃｍであり、特に好ましくは２１〜３１ｃｍである。
また、本案に於いて「彎曲している」とは「一部または全体がゆるくカーブしている」状態だけではなく「一部で屈曲している」状態をも意味する。
なお、本案における「柄」には植毛部分直下に頚の部分が存在する場合、それは含まないのもとする。
この長さがあれば、肘関節を十分に曲げることの出来ない障害者でも容易に歯みがきをすることが出来る。
口腔内を清潔に保つことは、口腔衛生のみではなく、全身疾患との関連を考えても重要なことである。歯周病は炎症性サイトカインや歯周病細菌を介して糖尿病や心血管疾患に負の影響を与えるとされ、高齢化社会を迎えた現在ではその予防が重要な課題である。特に肘に関節障害を有する場合、肘や手首の血管からアプローチする心臓カテーテル検査や心疾患の治療法である冠動脈形成術が困難になるため、よりいっそうの予防が求められる。
また、口からものを食べることは人生の大きな楽しみである。齲蝕や歯周疾患で歯を失うことのないよう、齲蝕や歯周疾患の予防を行うとは、歯ブラシを使用して原因であるプラークを機械的に除去することである。そのため、歯ブラシを痛みなく十分に行えることは予防の第一段階と言える。
【課題を解決するための手段】
【０００５】  本案は、血友病性肘関節症等により著しく肘関節の動作性機能を阻害にした患者の口腔内清掃用具、特に歯ブラシについて、柄部分が長い歯ブラシを提供するものである。
もちろん、通常の歯ブラシ以外にも舌苔除去ブラシ、歯間ブラシにも適用することのできるものである。
柄部分が長い歯ブラシを製造するには通常の歯ブラシの製造工程において、射出成型など成型用の金型として所望の形状のものを使用すればよい。
また、温度により変形可能な熱可塑性樹脂で柄の部分を延長加工したり、はめ込み鞘を用いたりすることにより一般に売られている歯ブラシの柄の長さを簡便に任意の長さに伸ばすことができる。
本案の柄部分が長い歯ブラシは、長い柄の部分全体または一部に彎曲を設けることが出来る。彎曲の形は任意であるが、特に歯ブラシの植毛面と反対側にゆるい彎曲を持たせることによって歯みがきが、より的確に実施できる。
また、本案の柄の部分の断面構造は任意であるが、特にグリップの部分を太くし、握り部に複数のへこみを設けること、後端部分を歯ブラシの植毛面と反対側に彎曲を設けることが使い勝手が向上するので望ましい。
熱可塑性樹脂を用いる方法は長さが固定してしまうので、延長歯ブラシの構造を、歯ブラシの柄本体とは別体の鞘状の延長部を接続するものとするのがさらに好ましい。柄本体と別体延長部を接続することにより、この方法でも市販の歯ブラシを用いることができる。
また、柄本体と別体延長部とを着脱自在の状態で接続出来る状態にしておけば、収納時や旅行時の携帯などに便利である。さらに、柄本体と別体延長部とを接続する際に、柄部全体の長さを調節可能な状態で接続できる構造にすることにより、各人の障害の程度に対応した長さの歯ブラシを製作することが可能になる。
本案では、柄本体と延長部との接続に際して、別体延長部を即時重合レジンで作成し、これを温度により変形可能な樹脂を使用して本体と固定することにより、各人の障害の程度に対応した長さの歯ブラシを制作することが可能になる。
即時重合レジンを用いて作成する別体延長部の、ブラシとは反対側の先端部分を、歯ブラシの植毛面と反対側にゆるい彎曲を持たせることにより、柄の部分を長く彎曲させた一体型の歯ブラシと同様な持ち方ができる。
【考案を実施するための形態】
【０００６】
【実施例１】患者Ａに対し、図１、図２で示したＡ点より約１１度、さらに図３で示したＢ点約１度彎曲させた歯ブラシに温度により変形可能な樹脂で加工し、図４、図５で示すように柄の部分を１１ｃｍから２１ｃｍに延長した。
【実施例２】患者Ｂに実施例１の歯ブラシを使用頂いたところ、延長の長さを短めにとの希望があった。だが、短くするだけでは彎曲がきつくなり持ちにくいと推測されたため、図６のようにＡ点のみ歯ブラシを曲げ、歯ブラシを延長させ、図７で示す形とした。
【実施例３】患者Ｃは、患者Ａよりも延長部分を長く希望した。そのため、実施例１のような彎曲が困難となり、実施例２の歯ブラシをさらに長くし、柄の長さが３１ｃｍとなる図８の歯ブラシとした。
【実施例４】患者Ｄに対しては、患者Ａと同様の彎曲と延長部の長さを希望したため、実施例１に従い作成した歯ブラシとした。
【実施例５】患者Ｅに対しては、患者Ａと同様の延長部の長さを希望したが、患者Ａと同様の延長部の彎曲では手首の動きに支障があったため、図６のようにＡ点のみ歯ブラシを曲げた歯ブラシを延長させ、図９で示す形とした。
【実施例６】以上の柄部分が長い歯ブラシは市販の歯ブラシ自体を加工するため、毛先が劣化し使用不能となると、改めて新しい歯ブラシを用いての加工と延長部分の加工を行わなければならなかった。また、延長の長さが決まってしまうため、微調整ができなかった。そこで、実施例６では歯ブラシを柄本体、別体延長部を着脱自在に接続する構造とすることにした。まず、歯ブラシ本体は図６で示すようにＡ点で１１度に曲げ、別体延長部は即時重合レジンで筒状に作成した。歯ブラシの柄の先端部を筒状の別体延長部に挿入し、長さを所望の長さに調整し（図１０）、温度により変形可能な樹脂で固定する（図１１）。
この柄部分が長い歯ブラシは適宜に柄の長さの調節が可能であり、また毛先が劣化したときは、市販の歯ブラシを新しいものに交換するだけで延長部分を再利用することが出来る。
【実施例７】患者Ａ・患者Ｄは彎曲した実施例１を使いやすいと評価したため、別体延長部の歯ブラシ本体と接合する反対側の先端を図１２で示すように１０度、歯ブラシの植毛面と反対側にゆるい彎曲を持たせた。
【考案の効果】
【０００７】  ５人（Ａ〜Ｅ）の患者モニターに臨床研究に参加頂いた。数日にわたり通常の歯ブラシと各実施例記載の柄部分が長い歯ブラシとを比較した。
通常の歯ブラシとして、市販されていた図１、図２に示した歯ブラシを使用した。
柄部分が長い歯ブラシが有効に歯垢（プラーク）を除去できているかを、プラークコントロールレコードを用いて定量的および定性的に評価した。
プラークコントロールレコードにおける評価は特殊な染料で歯垢を染め出し、定量的評価はパーセントで評価され、定性的評価は歯面に対して部位の評価を行うものである。その結果、患者Ａは６９．１％から３９．７％へ、患者Ｂは１７．０％から１５．０％へ、患者Ｃは７０．７％から５２．２％へ、患者Ｄは４５．４％から２４．１％へ、患者Ｅは５１．２％から３８．１％へ減少した。５人のモニター患者全てのみがき残し率が減少し、口腔衛生状態が向上していた。また、歯ブラシの改造による有害事象は観察されず、全ての評価を安全に行うことが出来た。
【図面の簡単な説明】
【０００８】
【図１】加工に使用した通常の歯ブラシ（上から見た図）
【図２】加工に使用した通常の歯ブラシ（横から見た図）
【図３】加工の第一段階として、歯ブラシの柄を２ヶ所に分け彎曲させた図
【図４】温度により変形可能な樹脂で加工した延長歯ブラシ（上から見た図）
【図５】温度により変形可能な樹脂で加工した延長歯ブラシ（横から見た図）
【図６】患者Ｂの希望に対し、加工の第一段階として、歯ブラシの柄を一ヶ所彎曲させた図
【図７】患者Ｂの希望に対し、温度により変形可能な樹脂で加工した柄部分が長い歯ブラシ（横から見た図）
【図８】患者Ｃの希望に対し、温度により変形可能な樹脂で加工した柄部分が長い歯ブラシ（横から見た図）
【図９】患者Ｅの希望に対し、温度により変形可能な樹脂で加工した柄部分が長い歯ブラシ（横から見た図）
【図１０】筒状の別体延長部を接続した柄部分が長い歯ブラシ（筒状のため、患者の好みの長さに柄を延長できる）
【図１１】歯ブラシの柄本体と別体延長部を、温度により変形可能な樹脂で固定した柄部分が長い歯ブラシ（横から見た図）
【図１２】別体延長部の先端を１０度彎曲させた、柄部分が長い歯ブラシ（先端部分の拡大図）
【符号の説明】
【０００９】Ａ：歯ブラシの頸部と柄部分の境界位置
Ｂ：Ａから柄の先端に向かって５．５ｃｍ進んだ位置
Ｃ：柄部分の長い歯ブラシの先端部分
【図１】
0003184367.tif 000003
【図２】
0003184367.tif 000004
【図３】
0003184367.tif 000005
【図４】
0003184367.tif 000006
【図５】
0003184367.tif 000007
【図６】
0003184367.tif 000008
【図７】
0003184367.tif 000009
【図８】
0003184367.tif 000010
【図９】
0003184367.tif 000011
【図１０】
0003184367.tif 000012
【図１１】
0003184367.tif 000013
【図１２】
0003184367.tif 000014
【手続補正書】
【提出日】平成25年3月29日(2013.3.29)
【手続補正１】
【補正対象書類名】実用新案登録請求の範囲
【補正対象項目名】全文
【補正方法】変更
【補正の内容】
【実用新案登録請求の範囲】
【請求項１】
柄部分の長さが１５〜３５ｃｍである柄部分が長い歯ブラシ
【請求項２】
柄部分が彎曲している請求項１記載の歯ブラシ
【請求項３】
柄部分が、柄本体と柄本体とは別体の延長部とが接続されている請求項１記載の歯ブラシ
【請求項４】
別体の延長部が熱可塑性樹脂により作られている請求項３記載の歯ブラシ
【請求項５】
別体の延長部が空洞の鞘からなり、柄本体が別体の鞘に挿入されて固定されてなる請求項３記載の歯ブラシ
【請求項６】
別体の延長部の末端が彎曲している請求項３記載の歯ブラシ